(57)【要約】      （修正有）【課題】新たな部材を付加することなく、内容液の減少時の折れ曲がりを防止できる逆止弁付き注出口栓を備えたフレキシブル包装袋を提供する。【解決手段】フレキシブル包装袋１００は、一対の側面フィルム１０１と、これらの間に挟まれた底フィルム１０２とを重ね合わせ、周縁部１０３をシールして収納部１０４を形成し、底フィルムを収納部の下方底面とし、周縁部には、内容液の注出を許容し、かつ外気の流入を規制する逆止弁付き注出口栓１０６を備える自立可能なフレキシブル包装袋であって、一対の側面フィルムの少なくとも一方には、フレキシブル包装袋の外方に突出するよう側面フィルムを湾曲させて形成されたリブ１０７が、逆止弁付き注出口栓近傍からその下方に向かう形状に設けられる。【選択図】図１
2016088552.tif 000002
【特許請求の範囲】
【請求項１】
一対の側面フィルムと、これらの間に挟まれた底フィルムとを重ね合わせ、周縁部をシールして収納部を形成し、前記底フィルムを前記収納部の下方底面とし、前記周縁部には、内容液の注出を許容し、かつ外気の流入を規制する逆止弁付き注出口栓を備える自立可能なフレキシブル包装袋であって、
前記一対の側面フィルムの少なくとも一方には、前記フレキシブル包装袋の外方に突出するよう前記側面フィルムを湾曲させて形成されたリブが、前記逆止弁付き注出口栓近傍からその下方に向かう形状に設けられた、フレキシブル包装袋。
【請求項２】
前記リブは、前記一対の側面フィルムの両方に、互いに対向するように形成される、請求項１に記載のフレキシブル包装袋。
【請求項３】
前記リブは、少なくとも一部が、前記周縁部に沿うように延伸方向が変化する曲線形状または屈曲形状を有する、請求項１または２に記載のフレキシブル包装袋。
【請求項４】
前記周縁部には、シールされた領域に囲まれて、シールがされずに気体が充填されたエアホールド部が、上下方向に所定長さにわたって形成される、請求項１〜３のいずれかに記載のフレキシブル包装袋。
【発明の詳細な説明】
【技術分野】
【０００１】
本発明は、逆止弁付き注出口栓を備えたフレキシブル包装袋に関するものである。
【背景技術】
【０００２】
液体、粘体、粉体、固体等の内容物を包装するための包装袋として、フィルムを重ね合わせてその周縁部をシールして形成したフレキシブル包装袋（パウチ）が知られている（特許文献１）。
【先行技術文献】
【特許文献】
【０００３】
【特許文献１】特開２００６−１２３９３１号公報
【発明の概要】
【発明が解決しようとする課題】
【０００４】
液体を内容物とするフレキシブル包装袋においては、注出の際、空気の流入を防いで、内容物の品質保持能力を高めるため、注出口栓に逆止弁を設けたものが提案されている。図４の（ａ）に逆止弁付き注出口栓５０６を備えるフレキシブル包装袋５００の平面図を示す。フレキシブル包装袋５００の内容液５０５が注出によって減少した場合、図４の（ｂ）に示す側面図のように、フレキシブル包装袋の収納部分の上部の大部分は、空気が流入しないことにより、表裏の側面フィルム５０１が密着し平板状となる。一方で図４の（ａ）に示すように、注出口栓５０６取り付け部分の近傍には、注出口栓５０６の立体構造によって、側面フィルム間に隙間が存在するため、注出の際に注出口栓５０６近傍に移動した内容液５０５がその後も残留する。そのため、図４の（ｃ）に示すように、残留した内容液５０５と注出口栓５０６との重量により、側面フィルム５０１が折れ曲がり、注出口栓５０６が垂れ下がり、保形性、自立安定性が損なわれることがある。
【０００５】
注出口栓の垂れ下がりを防ぐため、フレキシブル包装袋に剛性の高い紙や樹脂フィルム等で形成されたスリーブを適宜設けたり、外装に自立安定性を持たせ、フレキシブル包装袋を外装に収容することが提案されている。しかしながら、材料の増加、生産工程の複雑化等により、コストが上昇するという課題が発生する。
【０００６】
本発明は、このような課題に鑑みてなされたものであり、その目的は、低コストで、内容液の減少時の折れ曲がりを防止できる、逆止弁付き注出口栓を備えたフレキシブル包装袋を提供することである。
【課題を解決するための手段】
【０００７】
上記課題を解決するための本発明の一局面は、一対の側面フィルムと、これらの間に挟まれた底フィルムとを重ね合わせ、周縁部をシールして収納部を形成し、底フィルムを収納部の下方底面とし、周縁部には、内容液の注出を許容し、かつ外気の流入を規制する逆止弁付き注出口栓を備える自立可能なフレキシブル包装袋であって、一対の側面フィルムの少なくとも一方には、フレキシブル包装袋の外方に突出するよう側面フィルムを湾曲させて形成されたリブが、逆止弁付き注出口栓近傍からその下方に向かう形状に設けられた、フレキシブル包装袋である。
【発明の効果】
【０００８】
本発明によれば、低コストで、内容液の減少時の折れ曲がりを防止できる、逆止弁付き注出口栓を備えたフレキシブル包装袋を提供することができる。
【図面の簡単な説明】
【０００９】
【図１】本発明の第１の実施形態に係るフレキシブル包装袋の模式図
【図２】本発明の第２の実施形態に係るフレキシブル包装袋の模式図
【図３】本発明の第３の実施形態に係るフレキシブル包装袋の模式図
【図４】従来技術に係るフレキシブル包装袋の課題を示す模式図
【発明を実施するための形態】
【００１０】
（第１の実施形態）
図１の（ａ）、（ｂ）に、本発明の第１の実施形態に係るフレキシブル包装袋１００の正面模式図および断面模式図をそれぞれ示す。フレキシブル包装袋１００は、一対の側面フィルム１０１と、これらの間に挟まれた底フィルム１０２とを重ね合わせ、ハッチングで示す周縁部１０３をシールして収納部１０４を形成し、底フィルム１０２を収納部１０４の下方底面とし、周縁部１０３には、図示しない内容液の注出を許容し、かつ外気の流入を規制する逆止弁付き注出口栓１０６を備え、一対の側面フィルム１０１の少なくとも一方には、フレキシブル包装袋１００の外方に突出するよう側面フィルム１０１を湾曲させて形成されたリブ１０７が、逆止弁付き注出口栓１０６近傍からその下方に向かう形状に設けられている。
【００１１】
側面フィルム１０１および底フィルム１０２の材質は、樹脂または金属等を含み一定の剛性を有する公知の積層体を用いることができる。積層体の一例として、ポリエチレンテレフタレート、アルミニウム、ナイロン、ポリエチレンを含む積層体を挙げることができる。内容物を収納するための空間であるフレキシブル包装袋１００の収納部１０４は、一対の側面フィルム１０１の間に底フィルム１０２を２つ折りにして挟み込み、重ね合わせたうえで、一対の側面フィルム１０１の周縁部１０３を、図１の（ａ）にハッチングで示すようにシールすることによって形成される。収納部１０４に内容液を充填することによって、内容液の重みで底フィルム１０２が広がる。これによって、一対の側面フィルム１０１が筒形状となる。したがって、収納部１０４に内容液を充填することで、底フィルム１０２を下方底面として、フレキシブル包装袋１００を自立させることが可能である。以下では、水平面上に自立した状態のフレキシブル包装袋１００における鉛直方向を上下方向といい、水平方向を左右方向という。
【００１２】
逆止弁付き注出口栓１０６（以下、単に注出口栓１０６という）は、周縁部１０３にシールされ固定されるスパウト１０８と、スパウト１０８に固定可能なキャップ１１２を含む。スパウト１０８は、周縁部１０３にシールされるフランジ部１０９と、収納部１０４と外部とを連通して内容液の注出口となる円筒部１１０と、円筒部１１０に形成され内容液の注出を許容し、かつ外気の流入を規制する図示しない逆止弁を含む。逆止弁の形態は特に限定されず、各種の形態を採用できる。キャップ１１２は、フランジ部１０９に固定することでフレキシブル包装袋１００を使用しない場合に、外部と収納部１０４とを閉塞できる。キャップ１１２とフランジ部１０９との固定方法は、限定されず、ネジ式、ヒンジ式等の各種形態を採用できる。スパウト１０８は、例えば低密度ポリエチレン（ＬＤＰＥ）を用いて一体成形することで製造することができる。また、キャップ１１２は、例えば、ポリプロピレン（ＰＰ）を用いて成形することで製造することができる。
【００１３】
側面フィルム１０１には、図１に示すように、フレキシブル包装袋１００の外方に突出するよう側面フィルム１０１を湾曲させて形成されたリブ１０７が設けられる。リブ１０７の断面形状は、外方に突出していればよく、図１の（ｂ）に示す三角形の他、半円形、矩形等の様々な形態を採用でき、太さおよび長さもフレキシブル包装袋１００のサイズや内容液の性状等に合わせて適宜設計すればよい。また、リブ１０７は、図１の（ａ）に示すように、注出口栓１０６近傍から収納部１０４の下方底面に向かう形状に形成される。注出口栓１０６近傍とは、例えば、注出口栓１０６のフランジ部１０９の収納部１０４側端縁から５ｃｍ以内の範囲をいう。リブ１０７は、例えば、側面フィルム１０１をシールする前のフィルムの状態でプレスしてエンボス加工することで形成できる。なお、図１の（ｂ）に示すように、リブ１０７は、一対の側面フィルム１０１の両方に互いに対向するように形成されているが、リブは一対の側面フィルム１０１の一方のみに形成されていてもよい。なお、図１に示すリブ１０７’は、リブ１０７の変形例であり詳細は後述する。
【００１４】
リブ１０７は、注出口栓１０６近傍からその下方に向かう形状であるため、内容液の注出が終わり一対の側面フィルム１０１が密着をした場合であっても、注出口栓１０６近傍と収納部１０４の下方とを連通することができる。すなわち、注出口栓１０６の近傍に残留している内容液は、自重により、リブ１０７を通り収納部１０４の下方へ戻ることができる。この結果、内容液の注出口栓１０６近傍の残留にともなうフレキシブル包装袋１００の折れ曲がりを防止できる。すなわち、リブを形成するという簡易な工程によって、材料を増やすことなく、低コストで、逆止弁付き注出口栓を備えたフレキシブル包装袋の保形性、自立安定性を向上することができる。また、側面フィルム１０１にリブ１０７を設けることで、側面フィルム１０１およびフレキシブル包装袋１００の剛性も向上し、従来の側面フィルムと比較して厚みを抑えることができ、製造コストの低減も可能となる。
【００１５】
また、リブ１０７の代わりに、図１に点線で示すように、少なくとも一部が、周縁部１０３に沿うように延伸方向が変化する曲線形状または屈曲形状を有するリブ１０７’を備えてもよい。リブ上の各点において、注出口栓１０６の近傍側を始点とする延伸方向が、下向き成分を含んでいれば、直線的形状でなくても、内容液を連通することができる。リブ１０７’を設ける場合、フレキシブル包装袋１００の正面に、商品情報等を印刷して記載しても、商品情報等の視認性を悪化させて外観が損なわれることを防止できる。また、リブは複数設けてもよい。
【００１６】
（第２の実施形態）
図２の（ａ）、（ｂ）に、第２の実施形態に係るフレキシブル包装袋２００の正面模式図および断面模式図をそれぞれ示す。フレキシブル包装袋２００は、フレキシブル包装袋１００と、注出口栓１０６およびリブを設ける位置が相違する。フレキシブル包装袋１００と同様の点は、説明を省略する。
【００１７】
フレキシブル包装袋２００の注出口栓１０６は、図２の（ａ）に示すように、側面フィルム１０１の上部中央に配置される。これに合わせて、リブ２０７も側面フィルム１０１の中央であって、注出口栓１０６近傍からその下方に向かう形状に形成されている。また、フレキシブル包装袋２００においても、リブ２０７の代わりに、点線で示すリブ２０７’およびリブ２０７’’のように、少なくとも一部が、周縁部１０３に沿うように延伸方向が変化する曲線形状または屈曲形状を有するリブを備えてもよい。
（第３の実施形態）
図３には、第３の実施形態に係るフレキシブル包装袋３００の正面図を示す。フレキシブル包装袋３００は、フレキシブル包装袋１００と、周縁部１０３に形成されたエアホールド部３１３を備える点で相違する。フレキシブル包装袋１００と同様の点は、説明を省略する。
【００１８】
フレキシブル包装袋３００の周縁部１０３には、シールされた領域に囲まれて、シールがされずに気体が充填されたエアホールド部３１３が、上下方向に所定長さにわたって形成される。エアホールド部３１３は、フレキシブル包装袋３００を持ちやすくし、内容液を注出しやすくするとともに、自立安定性を高める働きをもつ。エアホールド部３１３を有するフレキシブル包装袋３００にリブ１０７を設けることで、フレキシブル包装袋３００の折れ曲がりを防止する機能はさらに向上し、側面フィルム１０１およびフレキシブル包装袋３００の剛性も向上し、従来の側面フィルムと比較して厚みを抑えることができ、さらなる製造コストの低減も可能となる。
【実施例】
【００１９】
フレキシブル包装袋１００と同じ形状で、内容量１ｌ（リットル）のフレキシブル包装袋を作製した。リブ１０７は、注出口栓１０６の円筒部１１０下端より１ｃｍ下から、真下に向けて、底フィルム１０２を折りたたんだ状態における折り目より上１ｃｍの位置まで、断面形状を高さ４ｍｍの正三角形として形成した。
【００２０】
作製したフレキシブル包装袋に水を１ｌ入れた後、水を一定量ずつ注出し、水がなくなるまで、各時点において折れ曲がることがないことを確認した。
【産業上の利用可能性】
【００２１】
本発明は、液体を収納する逆止弁付き注出口栓を備えたフレキシブル包装体等に有用である。
【符号の説明】
【００２２】
１００、２００、３００    フレキシブル包装袋
１０１    側面フィルム
１０２    底フィルム
１０３    周縁部
１０４    収納部
１０６    注出口栓
１０７、１０７’、２０７、２０７’、２０７’’    リブ
１０８    スパウト
１０９    フランジ部
１１０    円筒部
１１２    キャップ
３１３    エアホールド部
５００    フレキシブル包装袋
５０１    側面フィルム
５０５    内容液
５０６    注出口栓
【図１】
2016088552.tif 000003
【図２】
2016088552.tif 000004
【図３】
2016088552.tif 000005
【図４】
2016088552.tif 000006